(57)【要約】【課題】  各種の作業毎に別個の弁関係作業マニュアルを用意することなく、開閉が必要な弁の開閉条件の重複記載がない弁関係作業マニュアルを電子的に生成できるようにする。【解決手段】  作業内容毎に当該作業を遂行するために開閉が必要な弁を定義する作業手順定義テーブルと、弁の開閉操作毎に当該操作をするために必要な条件を定義する条件定義テーブルとを記憶領域に記憶させた上で、ユーザインターフェースを介して作業内容の入力指定を許容し、入力指定された作業を遂行するために開閉が必要な弁を作業手順定義テーブルから抽出して一時記憶し、抽出された弁の開閉操作をするために必要な条件を条件定義テーブルから抽出し、抽出された条件のうち各弁について重複しない条件のみを一時記憶し、一時記憶した弁のデータと条件のデータとを利用して当該弁及び条件の記述を含む弁関係作業マニュアル１２２を生成し、例えばディスプレイ表示する。【選択図】    図８
2007034610.tif 000002
【特許請求の範囲】
【請求項１】
ユーザインターフェースを介して作業内容の入力指定を許容する手段と、
作業内容毎に当該作業を遂行するために開閉が必要な弁を定義する第１の記憶領域に記憶された作業手順定義テーブルを参照し、入力指定された作業を遂行するために開閉が必要な前記弁を抽出し第２の記憶領域に記憶する手段と、
弁の開閉操作毎に当該操作をするために必要な条件を定義する第３の記憶領域に記憶された条件定義テーブルを参照し、抽出された前記弁の開閉操作をするために必要な前記条件を抽出する手段と、
抽出された前記条件のうち、前記各弁について重複しない前記条件のみを第４の記憶領域に記憶する手段と、
前記第２の記憶領域に記憶した前記弁のデータと前記第４の記憶領域に記憶した前記条件のデータとを利用して当該弁及び条件の記述を含む弁関係作業マニュアルを生成する手段と、
情報を可視化させる機器を用いて、生成された前記弁関係作業マニュアルを可視情報として顕在化させる手段と、
を備える弁関係作業マニュアル生成装置。
【請求項２】
前記弁関係作業マニュアルが含む前記条件の記述は、当該条件を成立させるための機器操作の記述を含む、請求項１記載の弁関係作業マニュアル生成装置。
【請求項３】
前記機器操作の記述は、操作概要説明と実操作説明とを含む、請求項２記載の弁関係作業マニュアル。
【請求項４】
前記情報を可視化させる機器は、ディスプレイである、請求項１記載の弁関係作業マニュアル生成装置。
【請求項５】
前記弁関係作業マニュアルが含む前記弁の記述に対応付けて、当該弁を開閉操作するために必要な条件として前記条件定義テーブルで定義された前記条件にリンクするオブジェクトを前記ディスプレイに表示する手段と、
前記オブジェクトが選択指示された場合、前記条件定義テーブルで定義された前記条件の記述を前記ディスプレイにポップアップ表示させる手段と、
を備える、請求項４記載の弁関係作業マニュアル生成装置。
【請求項６】
前記ポップアップ表示の内容を印刷可能にする手段を備える、請求項５記載の弁関係作業マニュアル生成装置。
【請求項７】
前記情報を可視化させる機器は、プリンタである、請求項１記載の弁関係作業マニュアル生成装置。
【請求項８】
サーバクライアントシステムを構築するサーバとして構成されている、請求項１ないし７のいずれか一記載の弁関係作業マニュアル生成装置。
【請求項９】
ユーザインターフェースを介して作業内容の入力指定を許容する工程と、
作業内容毎に当該作業を遂行するために開閉が必要な弁を定義する第１の記憶領域に記憶された作業手順定義テーブルを参照し、入力指定された作業を遂行するために開閉が必要な前記弁を抽出し第２の記憶領域に記憶する工程と、
弁の開閉操作毎に当該操作をするために必要な条件を定義する第３の記憶領域に記憶された条件定義テーブルを参照し、抽出された前記弁の開閉操作をするために必要な前記条件を抽出する工程と、
抽出された前記条件のうち、前記各弁について重複しない前記条件のみを第４の記憶領域に記憶する工程と、
前記第２の記憶領域に記憶した前記弁のデータと前記第４の記憶領域に記憶した前記条件のデータとを利用して当該弁及び条件の記述を含む弁関係作業マニュアルを生成する工程と、
情報を可視化させる機器を用いて、生成された前記弁関係作業マニュアルを可視情報として顕在化させる工程と、
を備える弁関係作業マニュアル生成方法。
【請求項１０】
コンピュータに解釈され、当該コンピュータに、
ユーザインターフェースを介して作業内容の入力指定を許容する機能と、
作業内容毎に当該作業を遂行するために開閉が必要な弁を定義する第１の記憶領域に記憶された作業手順定義テーブルを参照し、入力指定された作業を遂行するために開閉が必要な前記弁を抽出し第２の記憶領域に記憶する機能と、
弁の開閉操作毎に当該操作をするために必要な条件を定義する第３の記憶領域に記憶された条件定義テーブルを参照し、抽出された前記弁の開閉操作をするために必要な前記条件を抽出する機能と、
抽出された前記条件のうち、前記各弁について重複しない前記条件のみを第４の記憶領域に記憶する機能と、
前記第２の記憶領域に記憶した前記弁のデータと前記第４の記憶領域に記憶した前記条件のデータとを利用して当該弁及び条件の記述を含む弁関係作業マニュアルを生成する機能と、
情報を可視化させる機器を用いて、生成された前記弁関係作業マニュアルを可視情報として顕在化させる機能と、
を実行させる弁関係作業マニュアル生成処理プログラム。
【発明の詳細な説明】
【技術分野】
【０００１】
本発明は、弁関係の作業マニュアルを動的に生成するための装置及び方法、並びに、弁関係の作業マニュアルを動的に生成するための処理をコンピュータに実行させる処理プログラムに関する。
【背景技術】
【０００２】
例えば発電所等では、発電設備に複数個の弁が備えられている。これらの弁は、例えばボイラの水洗等のような各種の作業を実施するに際して、選択的に開閉する必要がある。選択的に開閉する必要がある弁は、実施しようとする作業の種類によって相違する。このため、作業の種類に合わせて弁の開閉操作を正しく行なうためには、各種の作業と当該作業をする場合に開閉が必要な弁との対応関係を説明する作業マニュアル、いわば弁関係作業マニュアルの類が不可欠である。しかも、弁が電磁弁又は電動弁である場合には、弁を開閉操作するための条件を整える必要がある。したがって、弁関係作業マニュアルでは、開閉が必要な弁について、その開閉条件をも規定する必要がある。
【０００３】
一方、各種の作業マニュアルについては、近年、その内容を電子化した上で、ユーザに電子情報として提供するようにした技術が提案されている。例えば、特許文献１には、複写機の作業マニュアルをユーザに提供する技術が開示されている。特許文献１に記載された技術は、複写機の使用状況情報を分析し、分析結果に応じた注目すべきマニュアル項目を選出し、選出したマニュアル項目を示すマニュアルページを作成してユーザに提供する、というものである。したがって、特許文献１に記載された技術によれば、マニュアル項目抽出のための労力を軽減することができる。この点は、各種の作業マニュアルを電子化した場合の一般的な利点である。そこで、弁関係作業マニュアルにおいても、その内容が電子情報としてユーザに提供可能であることが望ましい。
【０００４】
【特許文献１】特開２００２−１８３３２８
【発明の開示】
【発明が解決しようとする課題】
【０００５】
作業と当該作業をする場合に開閉が必要な弁との関係を説明し、開閉が必要な弁の開閉条件を規定する弁関係作業マニュアルでは、弁の開閉条件が二つ以上の弁において重複する可能性がある。このような重複が生ずると、表示される作業手順が複雑化し、ユーザに無用な混乱を生じさせてしまう。
【０００６】
このような問題は、開閉が必要な弁の開閉条件の規定が各弁を単位として記述されているに過ぎず、作業手順として記述されていないことを原因として発生する。そこで、各種の作業毎に、開閉が必要な弁の説明に加えて、当該弁の開閉条件を重複なく作業手順として記述した弁関係作業マニュアルを用意すれば、上記問題を解決することができる。しかしながら、そのような弁関係作業マニュアルを各種の作業毎に設けるとなると、膨大な量となるばかりでなく、誤記による各マニュアル間での不統一が生じ易くなるという新たな問題が生ずる。
【０００７】
なお、特許文献１に記載された技術は、複数のマニュアル項目を有するマニュアルデータベースの中から最適なマニュアル項目を抽出してマニュアルページを作成するに過ぎない。このため、特許文献１は、上記弁の開閉条件が二つ以上の弁において重複するという課題に対して、その解決手法を提供するものではない。
【０００８】
本発明の目的は、各種の作業毎に別個の弁関係作業マニュアルを用意することなく、各種の作業をする場合に開閉が必要な弁の開閉条件を重複記載なく記述した弁関係作業マニュアルを電子的に生成できるようにすることである。
【課題を解決するための手段】
【０００９】
本発明の弁関係作業マニュアル生成装置は、ユーザインターフェースを介して作業内容の入力指定を許容する手段と、作業内容毎に当該作業を遂行するために開閉が必要な弁を定義する第１の記憶領域に記憶された作業手順定義テーブルを参照し、入力指定された作業を遂行するために開閉が必要な前記弁を抽出し第２の記憶領域に記憶する手段と、弁の開閉操作毎に当該操作をするために必要な条件を定義する第３の記憶領域に記憶された条件定義テーブルを参照し、抽出された前記弁の開閉操作をするために必要な前記条件を抽出する手段と、抽出された前記条件のうち、前記各弁について重複しない前記条件のみを第４の記憶領域に記憶する手段と、前記第２の記憶領域に記憶した前記弁のデータと前記第４の記憶領域に記憶した前記条件のデータとを利用して当該弁及び条件の記述を含む弁関係作業マニュアルを生成する手段と、情報を可視化させる機器を用いて、生成された前記弁関係作業マニュアルを可視情報として顕在化させる手段と、を備える。
【００１０】
本発明の弁関係作業マニュアル生成方法の発明は、ユーザインターフェースを介して作業内容の入力指定を許容する工程と、作業内容毎に当該作業を遂行するために開閉が必要な弁を定義する第１の記憶領域に記憶された作業手順定義テーブルを参照し、入力指定された作業を遂行するために開閉が必要な前記弁を抽出し第２の記憶領域に記憶する工程と、弁の開閉操作毎に当該操作をするために必要な条件を定義する第３の記憶領域に記憶された条件定義テーブルを参照し、抽出された前記弁の開閉操作をするために必要な前記条件を抽出する工程と、抽出された前記条件のうち、前記各弁について重複しない前記条件のみを第４の記憶領域に記憶する工程と、前記第２の記憶領域に記憶した前記弁のデータと前記第４の記憶領域に記憶した前記条件のデータとを利用して当該弁及び条件の記述を含む弁関係作業マニュアルを生成する工程と、情報を可視化させる機器を用いて、生成された前記弁関係作業マニュアルを可視情報として顕在化させる工程と、を備える。
【００１１】
本発明の弁関係作業マニュアル生成処理プログラムの発明は、コンピュータに解釈され、当該コンピュータに、ユーザインターフェースを介して作業内容の入力指定を許容する機能と、作業内容毎に当該作業を遂行するために開閉が必要な弁を定義する第１の記憶領域に記憶された作業手順定義テーブルを参照し、入力指定された作業を遂行するために開閉が必要な前記弁を抽出し第２の記憶領域に記憶する機能と、弁の開閉操作毎に当該操作をするために必要な条件を定義する第３の記憶領域に記憶された条件定義テーブルを参照し、抽出された前記弁の開閉操作をするために必要な前記条件を抽出する機能と、抽出された前記条件のうち、前記各弁について重複しない前記条件のみを第４の記憶領域に記憶する機能と、前記第２の記憶領域に記憶した前記弁のデータと前記第４の記憶領域に記憶した前記条件のデータとを利用して当該弁及び条件の記述を含む弁関係作業マニュアルを生成する機能と、情報を可視化させる機器を用いて、生成された前記弁関係作業マニュアルを可視情報として顕在化させる機能と、を実行させる。
【発明の効果】
【００１２】
本発明によれば、各種の作業毎に別個の弁関係作業マニュアルを用意することなく、各種の作業をする場合に開閉が必要な弁の開閉条件を重複記載なく記述した弁関係作業マニュアルを電子的に生成することができる。
【発明を実施するための最良の形態】
【００１３】
本発明の実施の一形態を図１ないし図１１に基づいて説明する。本実施の形態は、一例として、火力発電所の発電設備に備えられた各種の弁に関する弁関係作業マニュアルの生成装置、生成方法、生成処理プログラムへの適用例を示す。対象となる弁関係作業マニュアルは、発電設備に関する作業と当該作業をする場合に開閉が必要な弁との関係を説明し、更に、開閉が必要な弁の開閉条件を規定する。
【００１４】
図１は、中央給電制御室、ＡＰＣ（Active Power Control）盤室及びサーバ室のそれぞれに設置される設置物及び各設置物間の接続関係を示す模式図である。本実施の形態の弁関係作業マニュアルが必要とされる火力発電所では、一例として、中央給電制御室１０１と、ＡＰＣ盤室２０１と、サーバ室３０１とが設けられている。中央給電制御室１０１には、制御盤１０２と操作盤１０３と複数台のプロッタ１０４とが設置され、複数台のクライアントＰＣ１０５及びプリンタ１０６も配備されている。ＡＰＣ盤室２０１には、ＡＰＣ盤２０２が設置されている。サーバ室３０１には、サーバ３０２と記憶装置３０３とが設置されている。
【００１５】
系統的には、制御盤１０２、操作盤１０３、プロッタ１０４及びＡＰＣ盤２０２の系統と、コンピュータ構成のクライアントＰＣ１０５、プリンタ１０６、コンピュータ構成のサーバ３０２及び記憶装置３０３の系統とは、別個独立していて関連性がない。クライアントＰＣ１０５、プリンタ１０６、サーバ３０２及び記憶装置３０３の系統は、一般的なサーバクライアントシステムを構成する。本実施の形態の弁関係作業マニュアルの生成装置は、当該サーバクライアントシステム上に実現され、本実施の形態の弁関係作業マニュアル生成方法は、当該サーバクライアントシステム上で実行される。本実施の形態の弁関係作業マニュアル生成処理プログラムは、例えばサーバ３０２にインストールされている。
【００１６】
図２は、サーバクライアントシステムを示すブロック図である。クライアントＰＣ１０５、プリンタ１０６、サーバ３０２及び記憶装置３０３は、ネットワーク通信網４０１を介して接続され、データ通信自在に構成されている。
【００１７】
図３（ａ）は、クライアントＰＣ１０５のハードウェア構成を示すブロック図である。クライアントＰＣ１０５は、各種演算処理を実行して各部を集中的に制御するＣＰＵ１１１を備え、ＣＰＵ１１１には固定データを固定的に格納するＲＯＭ１１２と可変データを書き換え自在に記憶するＲＡＭ１１３とがシステムバス１１４を経由して接続されている。ＣＰＵ１１１には、更に、ＨＤＤ１１５、ＣＤ−ＲＯＭドライブ１１６、キーボード１１７、マウス等のポインティングデバイス１１８、ＬＣＤ等のディスプレイ１１９、通信Ｉ／Ｆ１２０もシステムバス１１４を経由して接続されている。
【００１８】
クライアントＰＣ１０５において、キーボード１１７、ポインティングデバイス１１８、及びディスプレイ１１９は、ユーザインターフェースを構成する。また、クライアントＰＣ１０５のディスプレイ１１９及びネットワーク通信網４０１に接続されているプリンタ１０６は、情報を可視化させる機器を構成する。
【００１９】
ＨＤＤ１１５には、オペレーティングシステム（ＯＳ）や各種のアプリケーションプログラム等がインストールされている。ＯＳの全部又は一部は、クライアントＰＣ１０５の起動時にＲＡＭ１１３に移される。アプリケーションプログラムは、その起動を支持された場合、その全部一部がＨＤＤ１１５からＲＡＭ１１３に移される。ＲＡＭ１１３に移されて使用されるアプリケーションプログラムの一例として、クライアントＰＣ１０５は、ブラウザソフトウェアをＨＤＤ１１５にインストールしている。ブラウザソフトウェアは、ＨＴＭＬ等の言語で記述された各種のコンテンツ等をディスプレイ１１９に表示して閲覧可能とする。
【００２０】
図３（ｂ）は、サーバ３０２のハードウェア構成を示すブロック図である。サーバ３０２は、各種演算処理を実行して各部を集中的に制御するＣＰＵ３１１を備え、ＣＰＵ３１１には固定データを固定的に格納するＲＯＭ３１２と可変データを書き換え自在に記憶するＲＡＭ３１３とがシステムバス３１４を経由して接続されている。ＣＰＵ３１１には、更に、ＨＤＤ３１５、ＣＤ−ＲＯＭドライブ３１６、キーボード３１７、マウス等のポインティングデバイス３１８、ＬＣＤ等のディスプレイ３１９、通信Ｉ／Ｆ３２０もシステムバス３１４を経由して接続されている。ＣＤ−ＲＯＭドライブ３１６は、ＣＤ−ＲＯＭ３２１がセットされ、ＣＤ−ＲＯＭ３２１が記憶する各種のデータを光学的に読み取る。
【００２１】
一例として、弁関係作業マニュアル生成処理プログラムは、ＣＤ−ＲＯＭ３２１に記憶されたパッケージソフトウェアとして実現されており、ＣＤ−ＲＯＭドライブ３１６によって読み取られてＨＤＤ３１５にインストールされている。弁関係作業マニュアル生成処理プログラムは、ＣＤ−ＲＯＭ３２１に限らず、他のＤＶＤ等の光メディア、フロッピー（フロッピーは登録商標）ディスク等の磁気メディア等、各種の記憶媒体に記憶されていても良い。これらの場合、当該記憶媒体を読み取り得る機器、例えばＤＶＤドライブやＦＤドライブ等がサーバ３０２に接続されていれば、容易に弁関係作業マニュアル生成処理プログラムを読み出し、ＨＤＤ３１５にインストールすることができる。別の一例として、弁関係作業マニュアル生成処理プログラムは、例えばネットワーク通信網４０１を介して他の機器からダウンロードされ、ＨＤＤ３１５にインストールされていても良い。更に別の一例として、弁関係作業マニュアル生成処理プログラムはＲＯＭ３１２にファームウェアとして記録されていても良い。
【００２２】
図４は、作業内容毎に必要な作業手順を定義する作業手順定義テーブルの模式図である。作業手順定義テーブル３３１は、弁関係作業マニュアル生成処理プログラムの一部としてＨＤＤ３１５にインストールされている。当該作業手順定義テーブル３３１は、各作業内容３３２に対応付けて当該作業をするのに必要な手順３３３を定義するデータ構造を有している。
【００２３】
作業内容３３２は、作業内容ＩＤ３３２ａと作業内容説明３３２ｂとの組み合わせによって構成されている。作業内容ＩＤ３３２ａは、作業内容を識別するための識別番号を定義する。作業内容ＩＤ３３２ａのデータ形式は、一例として、英数字型である。作業内容説明３３２ｂは、当該作業内容の名称を定義する。作業内容説明３３２ｂのデータ形式は、一例として、テキスト型である。図４中、一例として、作業内容ＩＤ３３２ａ「Ｗ０００１」で特定される作業内容として、作業内容説明３３２ｂ「ボイラ水洗」が定義されている。
【００２４】
手順３３３は、対応する作業を遂行するのに操作すべき弁と当該弁の操作内容（開又は閉）とを定義する。このような手順３３３は、手順ＩＤ３３３ａと手順説明３３３ｂとの組み合わせによって構成されている。手順ＩＤ３３３ａは、操作すべき弁とその操作内容（開又は閉）とを識別するための識別番号を定義する。手順ＩＤ３３３ａのデータ形式は、一例として、英数字型である。手順説明３３３ｂは、操作すべき弁とその操作内容（開又は閉）との表示名称を定義する。手順説明３３３ｂのデータ形式は、一例として、テキスト型である。図４中、一例として、作業内容ＩＤ３３２ａが「Ｗ０００１」で作業内容説明３３２ｂが「ボイラ水洗」である作業内容に対応付けて、手順ＩＤ３３３ａ「Ｐ０００１、Ｐ０００２、Ｐ０００３、Ｐ０００４、…」が定義されている。そして、手順ＩＤ３３３ａ「Ｐ０００１、Ｐ０００２、Ｐ０００３、Ｐ０００４、…」で特定される手順として、手順説明３３３ｂ「Ａ弁開、Ｂ弁開、Ｃ弁開、Ｄ弁開、…」が定義されている。
【００２５】
図５は、弁の開閉操作とその開閉操作をするために必要な条件とを対応付けて記憶する条件定義テーブルの模式図である。条件定義テーブル３５１は、弁関係作業マニュアル生成処理プログラムの一部としてＨＤＤ３１５にインストールされている。当該条件定義テーブル３５１は、各弁の開閉操作を説明する手順項目３５２毎に、当該弁の開閉操作をするために必要な条件３５３を対応付けるデータ構造を有している。つまり、手順項目３５２によって定義される各弁の開閉操作というのは、各弁を開く操作又は閉じる操作を意味する。このような手順項目３５２は、図４に例示する作業手順定義テーブル３３１中の手順３３３として定義されている各項目に対応している。条件３５３は、各弁を開く操作又は閉じる操作をするに際して、整えるべき条件を定義している。この条件は、当該条件を成立させるための機器操作の記述によって構成されている。
【００２６】
手順項目３５２は、手順ＩＤ３５２ａと手順説明３５２ｂとの組み合わせによって構成されている。手順ＩＤ３５２ａは、各弁を識別するための識別番号を定義する。手順ＩＤ３５２ａのデータ形式は、一例として、英数字型である。手順説明３５２ｂは、当該弁の名称を定義する。手順説明３５２ｂのデータ形式は、一例として、テキスト型である。図４に例示する手順項目３５２は、Ａ弁を開く操作、Ｂ弁を開く操作、Ｃ弁を開く操作、及びＤ弁を開く操作である。
【００２７】
条件３５３は、当該条件を成立させるための機器操作の記述であり、詳細には、操作条件ＩＤ３５３ａと操作概要説明３５３ｂと実操作説明３５３ｃとの組み合わせによって構成されている。操作条件ＩＤ３５３ａは、操作条件を識別するための識別番号を定義する。操作条件ＩＤ３５３ａのデータ形式は、一例として、英数字型である。操作概要説明３５３ｂは、各弁の開閉操作に際して必要な条件作りをするために求められる操作の概要を説明する。したがって、実際の操作を説明しているのではなく、どのような条件を作り出すべきかを説明している。この意味で、操作概要説明３５３ｂの記述は、抽象概念である。このような操作概要説明３５３ｂのデータ形式は、一例として、テキスト型である。実操作説明３５３ｃは、各弁の開閉操作に際して必要な条件作りをするために求められる実際の操作内容を説明する。実操作説明３５３ｃのデータ形式は、一例として、テキスト型である。図４に例示する条件３５３は、Ａ弁を開く操作に際して必要な条件、Ｂ弁を開く操作に際して必要な条件、Ｃ弁を開く操作に際して必要な条件、及びＤ弁を開く操作に際して必要な条件である。
【００２８】
ここで、条件定義テーブル３５１に定義されているＡ弁を開く操作を例に挙げて説明する。手順項目３５２では、Ａ弁を開く操作を識別するための手順ＩＤ３５２ａとして「Ｐ０００１」が定義されており、手順説明３５２ｂには「Ａ弁開」と定義されている。そして、Ａ弁を開く操作に際して必要な操作条件ＩＤ３５３ａとして、「Ｃ０００１」及び「Ｃ０００２」という二つの操作条件ＩＤ３５３ａが定義されている。条件「Ｃ０００１」として定義される条件３５３には、「「復水機保護」全閉指令を外す。」という操作概要説明３５３ｂが対応付けられ、「ＡＰＣ盤×−×−×（４）端子外し」という実操作説明３５３ｃが対応付けられている。これは、×−×−×というＡＰＣ盤２０２の（４）の端子を外すという意味である。また、条件「Ｃ０００２」として定義される条件３５３には、「「フラッシュタンクレベル＋×××ｍｍ以上」全閉指令を外す。」という操作概要説明３５３ｂが対応付けられ、「×−×−×―×××  Ｓ×：×××→×××  Ｓ×：×××→×××」という実操作説明３５３ｃが対応付けられている。
【００２９】
図６は、弁関係作業マニュアル生成処理プログラムの処理手順を示すフローチャートである。クライアントＰＣ１０５からネットワーク通信網４０１を介してサーバ３０２にアクセスし、クライアントＰＣ１０５において弁関係作業マニュアル生成処理プログラムの起動を指示すると、サーバ３０２では弁関係作業マニュアル生成処理プログラムが起動する。つまり、ＨＤＤ３１５にインストールされた弁関係作業マニュアル生成処理プログラムの全部又は一部がＲＡＭ３１３に移され、立ち上げられる。この際、図４に示す作業手順定義テーブル３３１及び図５に示す条件定義テーブル３５１も、それぞれ、ＲＡＭ３１３に移され、ワークエリアにおける第１の記憶領域及び第３の記憶領域に記憶される。弁関係作業マニュアル生成処理プログラムの起動に伴いＲＡＭ３１３に移されるデータとしては、各種の表示フォーマットがある。代表的な表示フォーマットは、弁関係作業マニュアル表示フォーマットである。弁関係作業マニュアル表示フォーマットは、生成する弁関係作業マニュアルを表示するためのフォーマットである。
【００３０】
図７は、クライアントＰＣ１０５のディスプレイ１１９に表示される作業メニュー画面の一例を示す模式図である。サーバ３０２は、アクセスしてきたクライアントＰＣ１０５に、提供可能なファイルやプログラムのアイコン画像を提供する。これらのアイコン画像はサーバ３０２にアクセスするクライアントＰＣ１０５のディスプレイ１１９に表示される。そのようなアイコン画像としては、弁関係作業マニュアル生成処理プログラムの起動を選択指定することができる弁関係作業マニュアル生成用アイコンが含まれている。クライアントＰＣ１０５において、そのディスプレイ１１９に表示される弁関係作業マニュアル生成用アイコンが例えばポインティングデバイス３１８等で選択指定されると、サーバ３０２には当該弁関係作業マニュアル生成用アイコンにリンク付けられた弁関係作業マニュアル生成処理プログラムの起動指令が送信される。サーバ３０２上で起動した弁関係作業マニュアル生成処理プログラムは、アクセスしてきたクライアントＰＣ１０５に初期画面画像データを転送する処理をＣＰＵ３１１に実行させる。この初期画面画像データは、クライアントＰＣ１０５にインストールされたブラウザソフトウェアによって閲覧可能である。初期画面画像データを受信したクライアントＰＣ１０５のディスプレイ１１９に表示される画面には、図７に例示するような初期画面１２１の表示がなされる。つまり、「作業メニュー」というタイトル１２１ａが表示され、その下に作業メニュー１２１ｂが表示される。作業メニュー１２１ｂは、マニュアルを生成する作業、例えば「ボイラ水洗」等のような作業の一覧であり、選択指定可能なオブジェクトとして表示される。したがって、クライアントＰＣ１０５の図示しないポインティングデバイス等によって選択指定が可能である。作業メニュー１２１ｂは、スクロールツール１２１ｃによってスクロール表示可能である。
【００３１】
サーバ３０２上で起動した弁関係作業マニュアル生成処理プログラムによってＣＰＵ３１１が実行する、アクセスしてきたクライアントＰＣ１０５に初期画面画像データを転送する処理は、ユーザインターフェース（クライアントＰＣ１０５のキーボード１１７、ポインティングデバイス１１８、及びディスプレイ１１９）を介して作業内容の入力指定を許容する手段（機能、工程）を実現させる。
【００３２】
ここで、オブジェクト表示される作業メニュー１２１ｂは、図４に示す作業手順定義テーブル３３１の作業内容説明３３２ｂでの定義を引用して表示される。したがって、作業メニュー１２１ｂは、作業内容ＩＤ３３２ａにリンク付けされており、作業メニュー１２１ｂの選択指定は作業内容ＩＤ３３２ａの選択指定を引き起こす。そこで、クライアントＰＣ１０５のディスプレイ画面１０７に表示された初期画面１２１中、クライアントＰＣ１０５において作業メニュー１２１ｂから一つの内容が選択指定されると、クライアントＰＣ１０５から、どの作業内容ＩＤ３３２ａが選択指定されたかを示すデータがサーバ３０２に転送される。これを受けたサーバ３０２は、図６のフローチャート中、作業内容の選択があったと判定し（ステップＳ１０１）、ＲＡＭ３１３の記憶領域から弁関係作業マニュアル表示フォーマットを呼び出す（ステップＳ１０２）。
【００３３】
次いで、サーバ３０２は、選択された作業の遂行に必要な手順ＩＤ３３３ａを抽出し、ＲＡＭ３１３のワークエリアに一時記憶する（ステップＳ１０３）。つまり、サーバ３０２では、弁関係作業マニュアル生成処理プログラムに従ったＣＰＵ３１１の処理により、図４に示す作業手順定義テーブル３３１を参照し、特定された作業内容ＩＤ３３２ａに対応付けられた手順ＩＤ３３３ａを検索し、検索された手順ＩＤ３３３ａをＲＡＭ３１３のワークエリアに一時記憶する。一例として、クライアントＰＣ１０５のディスプレイ画面１０７に表示された初期画面１２１中、「ボイラ水洗」と表示された作業メニュー１２１ｂが選択指示された場合、作業内容ＩＤ３３２ａ「Ｗ０００１」に対応付けられた手順ＩＤ３３３ａ「Ｐ０００１、Ｐ０００２、Ｐ０００３、Ｐ０００４、…」が検索され、この手順ＩＤ３３３ａ「Ｐ０００１、Ｐ０００２、Ｐ０００３、Ｐ０００４、…」がＲＡＭ３１３のワークエリア中の第２の記憶領域に一時記憶される。
【００３４】
以上説明したステップＳ１０３の処理は、作業内容毎に当該作業を遂行するために開閉が必要な弁を定義する第１の記憶領域に記憶された作業手順定義テーブル３３１を参照し、入力指定された作業を遂行するために開閉が必要な弁を抽出し第２の記憶領域に記憶する手段（機能、工程）を実現させる。
【００３５】
次いで、サーバ３０２は、抽出した手順ＩＤ３３３ａに対応する操作条件ＩＤ３５３ａを順に抽出する（ステップＳ１０４）。つまり、サーバ３０２では、弁関係作業マニュアル生成処理プログラムに従ったＣＰＵ３１１の処理により、抽出した手順ＩＤ３３３ａをキーとして図５に示す条件定義テーブル３５１中の手順ＩＤ３５２ａを検索し、検索された手順ＩＤ３５２ａに対応付けられた操作条件ＩＤ３５３ａを順に抽出する。先に説明した一例では、図４中の手順ＩＤ３３３ａ「Ｐ０００１、Ｐ０００２、Ｐ０００３、Ｐ０００４、…」をキーとして図５中の手順ＩＤ３５２ａ「Ｐ０００１、Ｐ０００２、Ｐ０００３、Ｐ０００４、…」が検索され、手順ＩＤ３５２ａ「Ｐ０００１、Ｐ０００２、Ｐ０００３、Ｐ０００４、…」に対応付けられた操作条件ＩＤ３５３ａが順に抽出される。順に抽出される操作条件ＩＤ３５３ａは、手順ＩＤ３５２ａ「Ｐ０００１」に対応付けられた操作条件ＩＤ３５３ａ「Ｃ０００１」及び「Ｃ０００２」、手順ＩＤ３５２ａ「Ｐ０００２」に対応付けられた操作条件ＩＤ３５３ａ「Ｃ０００３」、手順ＩＤ３５２ａ「Ｐ０００３」に対応付けられた操作条件ＩＤ３５３ａ「Ｃ０００１」、「Ｃ０００２」、「Ｃ０００４」、「Ｃ０００５」及び「Ｃ０００６」、操作手順ＩＤ３５２ａ「Ｐ０００４」に対応付けられた操作条件ＩＤ３５３ａ「Ｃ０００１」、…である。
【００３６】
以上説明したステップＳ１０４の処理は、弁の開閉操作毎に当該操作をするために必要な条件を定義する第３の記憶領域に記憶された条件定義テーブル３５１を参照し、抽出された弁の開閉操作をするために必要な条件を抽出する手段（機能、工程）を実現させる。
【００３７】
ステップＳ１０５では、順に抽出される操作条件ＩＤ３５３ａが既抽出の操作条件ＩＤ３５３ａと重複しているかどうかが判定される。先に説明した一例では、手順ＩＤ３３３ａ「Ｐ０００１」に対応付けられた操作条件ＩＤ３５３ａ「Ｃ０００１」及び「Ｃ０００２」が先ず抽出されると、これらの「Ｃ０００１」及び「Ｃ０００２」は既抽出の操作条件ＩＤ３５３ａとなる。その後、操作条件ＩＤ３５３ａ「Ｃ０００１」、「Ｃ０００２」、「Ｃ０００４」、「Ｃ０００５」及び「Ｃ０００６」が抽出されると、後に抽出された「Ｃ０００１」及び「Ｃ０００２」は、既抽出の操作条件ＩＤ３５３ａとなっているので、抽出していると判定される（ステップＳ１０５）。
【００３８】
そこで、サーバ３０２は、既抽出の操作条件ＩＤ３５３ａとなっていないと判定された操作条件ＩＤ３５３ａのみをＲＡＭ３１３のワークエリア中の第４の記憶領域に一時記憶する（ステップＳ１０６）という処理を、ステップＳ１０４で抽出された操作条件ＩＤ３５３ａが終了するまで実行する（ステップＳ１０７）。これにより、ＲＡＭ３１３のワークエリア中の第４の記憶領域には、操作条件ＩＤ３５３ａが重複なく一時記憶されることになる。先に説明した一例では、条件ＩＤ３５３ａとして、「Ｃ０００１、Ｃ０００２、Ｃ０００３、Ｃ０００４、Ｃ０００５、Ｃ０００６、…」が第４の記憶領域に一時記憶されることになる。
【００３９】
以上説明したステップＳ１０５〜ステップＳ１０７の処理は、抽出された条件のうち、各弁について重複しない条件のみを第４の記憶領域に記憶する手段（機能、工程）を実現させる。
【００４０】
その後、サーバ３０２は、ＲＡＭ３１３のワークエリア中の第２の記憶領域に一時記憶された手順ＩＤ３５２ａと第４の記憶領域に一時記憶された操作条件ＩＤ３５３ａとに基づいて弁関係作業マニュアルを生成する（ステップＳ１０８）。つまり、図５に示す条件定義テーブル３５１を参照し、第２の記憶領域に一時記憶された手順ＩＤ３５２ａに対応する手順説明３５２ｂを抽出し、第４の記憶領域に一時記憶された操作条件ＩＤ３５３ａに対応する操作概要説明３５３ｂ及び実操作説明３５３ｃを抽出する。先に説明した一例では、手順ＩＤ３５２ａ「Ｐ０００１、Ｐ０００２、Ｐ０００３、Ｐ０００４、…」が第２の記憶領域に一時記憶され、操作条件ＩＤ３５３ａ「Ｃ０００１、Ｃ０００２、Ｃ０００３、Ｃ０００４、Ｃ０００５、Ｃ０００６、…」が第２の記憶領域に一時記憶される。そこで、この一例によれば、弁関係作業マニュアルを生成するための手順説明３５２ｂは「Ａ弁開」、「Ｂ弁開」、「Ｃ弁開」、「Ｄ弁開」、…である。また、操作概要説明３５３ｂ及び実操作説明３５３ｃは、それぞれ、操作条件ＩＤ３５３ａ「Ｃ０００１、Ｃ０００２、Ｃ０００３、Ｃ０００４、Ｃ０００５、Ｃ０００６、…」に対応する操作概要説明３５３ｂ及び実操作説明３５３ｃである（図５参照）。そして、弁関係作業マニュアル生成処理プログラムに従ったＣＰＵ３１１の処理により、抽出したテキストデータである手順説明３５２ｂ、操作概要説明３５３ｂ及び実操作説明３５３ｃを、ステップＳ１０２の処理でＲＡＭ３１３の記憶領域から呼び出した弁関係作業マニュアル表示フォーマットに当て嵌め、弁関係作業マニュアルを表示データとして生成する。この表示データは、クライアントＰＣ１０５にインストールされているブラウザソフトウェアにわって閲覧可能なデータ形式を有している。
【００４１】
以上説明したステップＳ１０８の処理は、第２の記憶領域に記憶した弁のデータと第４の記憶領域に記憶した条件のデータとを利用して当該弁及び条件の記述を含む弁関係作業マニュアルを生成する手段（機能、工程）を実現させる。
【００４２】
弁関係作業マニュアルを表示データとして生成したサーバ３０２は、表示データをアクセスしてきたクライアントＰＣ１０５に転送する（ステップＳ１０９）。これにより、クライアントＰＣ１０５は、そのディスプレイ１１９に表示データである弁関係作業マニュアルを表示可能である。ここに、情報を可視化させる機器（ディスプレイ１１９）を用いて、生成された弁関係作業マニュアルを可視情報として顕在化させる手段（機能、工程）が実行される。
【００４３】
図８は、クライアントＰＣ１０５のディスプレイ１１９に表示される動的に生成された弁関係作業マニュアルの一例を示す模式図である。図８に示すように、弁関係作業マニュアル１２２は、「操作手順」というタイトル１２２ａとオブジェクト表示された「印刷」という印刷ボタン１２２ｂとを含み、「手順」という手順項目１２２ｃと「条件」という条件項目１２２ｄとを含む。そして、手順項目１２２ｃには、サーバ３０２が有するＲＡＭ３１３のワークエリア中の第２の記憶領域に一時記憶された手順ＩＤ３５２ａに対応する手順説明３５２ｂが選択指定可能なオブジェクトとして表示される。ここに、弁関係作業マニュアル１２２が含む弁の記述に対応付けて、当該弁を開閉操作するために必要な条件として条件定義テーブル３５１で定義された条件にリンクするオブジェクト（手順項目１２２ｃ）をディスプレイ１１９に表示する手段（機能、工程）が実行される。また、条件項目１２２ｄには、サーバ３０２が有するＲＡＭ３１３のワークエリア中の第４の記憶領域に一時記憶された操作条件ＩＤ３５３ａに対応する操作概要説明３５３ｂ及び実操作説明３５３ｃが表示される。手順項目１２２ｃ及び条件項目１２２ｄは、共に、スクロールツール１２１ｅによってスクロール表示可能である。
【００４４】
クライアントＰＣ１０５のディスプレイ画面１０７に表示された初期画面１２１（図７参照）中、「ボイラ水洗」と表示された作業メニュー１２１ｂが選択指示された場合を例示する先に説明した一例では、図８に示す弁関係作業マニュアル１２２中、手順項目１２２ｃとして「Ａ弁開」、「Ｂ弁開」、「Ｃ弁開」、「Ｄ弁開」、…が表示され、条件項目１２２ｄとして操作条件ＩＤ３５３ａ「Ｃ０００１、Ｃ０００２、Ｃ０００３、Ｃ０００４、Ｃ０００５、Ｃ０００６、…」に対応する操作概要説明３５３ｂ及び実操作説明３５３ｃ（図５参照）が表示される。これらの操作概要説明３５３ｂ及び実操作説明３５３ｃは、第４の記憶領域に一時記憶された操作条件ＩＤ３５３ａに対応する内容であるため、重複記載がない。したがって、本実施の形態によれば、各種の作業毎に別個の弁関係作業マニュアルを用意することなく、各種の作業をする場合に開閉が必要な弁の開閉条件を重複記載なく記述した弁関係作業マニュアル１２２を電子的に生成することができる。
【００４５】
図９は、図８に例示する弁関係作業マニュアル１２２中から「Ａ弁開」という手順項目１２２ｃを選択指示した場合に表示されるポップアップ表示を例示する模式図である。前述したように、手順項目１２２ｃは、サーバ３０２が有するＲＡＭ３１３のワークエリア中の第２の記憶領域に一時記憶された手順ＩＤ３５２ａに対応する手順説明３５２ｂを表示する選択指定可能なオブジェクトである。このオブジェクトは、表示する手順説明３５２ｂに対応する手順ＩＤ３５２ａのリンクを含んでいる。そこで、クライアントＰＣ１０５において例えばポインティングデバイス１１８等で所望の手順説明３５２ｂ（例えば、「Ａ弁開」）を選択指定すると、対応する手順ＩＤ３５２ａ（例えば、「Ｐ０００１」）と共に手順説明３５２ｂをポップアップ表示すべき旨のデータがサーバ３０２に転送される。そこで、サーバ３０２は、転送された手順ＩＤ３５２ａ（例えば、「Ｐ０００１」）を参照して対応する手順説明３５２ｂと操作概要説明３５３ｂと実操作説明３５３ｃとを抽出し、クライアントＰＣ１０５にインストールされたブラウザソフトウェアで閲覧可能なデータ形式のポップアップ画面データを生成する。そして、生成したポップアップ画面データをクライアントＰＣ１０５に転送する。これにより、クライアントＰＣ１０５のディスプレイ１１９には、例えばＡ弁開という操作のための条件（操作概要説明及び実操作説明）が表示されたポップアップ表示１２３が表示される。このポップアップ表示１２３には、オブジェクト表示された「印刷」という印刷ボタン１２３ａも含まれている。ここに、オブジェクト（手順項目１２２ｃ）が選択指示された場合、条件定義テーブル３５１で定義された条件の記述をディスプレイ１１９にポップアップ表示させる手段（機能、工程）が実行される。
【００４６】
本実施の形態では、クライアントＰＣ１０５のディスプレイ１１９に表示される弁関係作業マニュアル１２２において、手順項目１２２ｃに示される内容と条件項目１２２ｄに示される内容との間に関連性を持たせていない。とりわけ、条件項目１２２ｄに示される内容は、重複記載を排除しているため、手順項目１２２ｃに示される内容と条件項目１２２ｄに示される内容との間の関連性は、益々希薄となっている。これに対して、ある所望の手順項目１２２ｃについての詳細（操作概要説明及び実操作説明）を確認したい場合がある。そこで、図９に示すように、ある所望の手順項目１２２ｃについての詳細（操作概要説明及び実操作説明）をポップアップ表示１２３として表示できるようにすれば、そのような要望を満たし得る。
【００４７】
図１０は、図８に例示する弁関係作業マニュアル１２２についての印刷画像を例示する模式図である。前述したように、図８に例示するクライアントＰＣ１０５のディスプレイ１１９に表示された弁関係作業マニュアル１２２には、「印刷」と表示された印刷ボタン１２２ｂがオブジェクト表示されている。この印刷ボタン１２２ｂは、クライアントＰＣ１０５での印刷命令にリンク付けられている。そこで、クライアントＰＣ１０５において、例えばポインティングデバイス１１８によって印刷ボタン１２２ｂが選択指定されると、クライアントＰＣ１０５にインストールされているプリンタドライバが起動し、プリンタ１０６に対する印刷指示を行うことができるようになる。印刷指示の結果、例えば図１０に例示するような弁関係作業マニュアル１２２のハードコピーが得られる。ここに、情報を可視化させる機器（プリンタ１０６）を用いて、生成された弁関係作業マニュアルを可視情報として顕在化させる手段（機能、工程）が実行される。
【００４８】
図１１は、図９に例示するポップアップ表示１２３についての印刷画像を例示する模式図である。前述したように、図９に例示するクライアントＰＣ１０５のディスプレイ１１９に表示されたポップアップ表示１２３には、「印刷」と表示された印刷ボタン１２３ａがオブジェクト表示されている。この印刷ボタン１２３ａは、クライアントＰＣ１０５での印刷命令にリンク付けられている。そこで、クライアントＰＣ１０５において、例えばポインティングデバイス１１８によって印刷ボタン１２３ａが選択指定されると、クライアントＰＣ１０５にインストールされているプリンタドライバが起動し、プリンタ１０６に対する印刷指示を行うことができるようになる。印刷指示の結果、例えば図１１に例示するようなポップアップ表示１２３のハードコピーが得られる。
【図面の簡単な説明】
【００４９】
【図１】本発明の実施の一形態として、中央制御室、ＡＰＣ盤室及びサーバ室のそれぞれに設置される設置物及び各設置物間の接続関係を示す模式図である。
【図２】サーバクライアントシステムを示すブロック図である。
【図３】（ａ）はクライアントＰＣのハードウェア構成を示すブロック図、（ｂ）はサーバのハードウェア構成を示すブロック図である。
【図４】作業内容毎に必要な作業手順を定義する作業手順定義テーブルの模式図である。
【図５】弁の開閉操作とその開閉操作をするために必要な条件とを対応付けて記憶する条件定義テーブルの模式図である。
【図６】弁関係作業マニュアル生成処理プログラムの処理手順を示すフローチャートである。
【図７】クライアントＰＣのディスプレイに表示される作業メニュー画面の一例を示す模式図である。
【図８】クライアントＰＣのディスプレイに表示される動的に生成された弁関係作業マニュアルの一例を示す模式図である。
【図９】図８に例示する弁関係作業マニュアル中から「Ａ弁開」という手順項目を選択指示した場合に表示されるポップアップ表示を例示する模式図である。
【図１０】図８に例示する弁関係作業マニュアルについての印刷画像を例示する模式図である。
【図１１】図９に例示するポップアップ表示についての印刷画像を例示する模式図である。
【符号の説明】
【００５０】
１０６  プリンタ
１１７  ユーザインターフェース（キーボード）
１１８  ユーザインターフェース（ポインティングデバイス）
１１９  ユーザインターフェース、ディスプレイ
１２２  弁関係作業マニュアル
３１３  第１〜第４の記憶領域（ＲＡＭ）
３３１  作業手順定義テーブル
３５１  条件定義テーブル
【図１】
2007034610.tif 000003
【図２】
2007034610.tif 000004
【図３】
2007034610.tif 000005
【図４】
2007034610.tif 000006
【図５】
2007034610.tif 000007
【図６】
2007034610.tif 000008
【図７】
2007034610.tif 000009
【図８】
2007034610.tif 000010
【図９】
2007034610.tif 000011
【図１０】
2007034610.tif 000012
【図１１】
2007034610.tif 000013